(57)【要約】【課題】  簡単な構造でＦＰＣ等のフラットケーブルに設けられた導体パターンとコンタクトとの位置ずれを確実に防止することができるフラットケーブル用コネクタを提供する。【解決手段】  フラットケーブル用コネクタ１において、カバーハウジング２０の両端に、ＦＰＣ（フラットケーブル）５０の幅よりも大きい内壁面間隔Ｄ１で配置された１対の挿入案内部２６を設けると共に、１対の挿入案内部２６に連続し、かつ、１対の挿入案内部２６の内壁面間隔Ｄ１に対して小さくなるような内壁面間隔Ｄ２を設定した１対のフラットケーブル斜め挿入防止部２７を設けている。１対のフラットケーブル斜め挿入防止部２７は、カバーハウジング２０の回動時に、斜め挿入されたＦＰＣ５０の挿入状態をそれぞれの内壁面により矯正するようになっている。【選択図】      図７
2006338955.tif 000002
【特許請求の範囲】
【請求項１】
フラットケーブルが挿入されるハウジングと、該ハウジングに取り付けられると共に、挿入された前記フラットケーブルに設けられた導体パターンに接触するコンタクトと、前記ハウジングに対して、前記フラットケーブルを挿入可能な開位置と前記フラットケーブルを押圧する閉位置との間を回動可能に取り付けられたカバーハウジングとを具備し、該カバーハウジングが閉位置にあるときに、前記コンタクトが加圧されて前記フラットケーブルに設けられた導体パターンに接触するようになっているフラットケーブル用コネクタであって、
前記カバーハウジングの両端に、前記フラットケーブルの幅よりも大きい内壁面間隔で配置された１対の挿入案内部を設けると共に、該１対の挿入案内部に連続し、かつ、前記１対の挿入案内部の内壁面間隔に対して小さくなるような内壁面間隔を設定した１対のフラットケーブル斜め挿入防止部を設け、
該１対のフラットケーブル斜め挿入防止部は、前記カバーハウジングの回動時に、斜め挿入された前記フラットケーブルの挿入状態をそれぞれの内壁面により矯正するようになっていることを特徴とするフラットケーブル用コネクタ。
【請求項２】
前記カバーハウジングは、前記開位置にあるときに前記フラットケーブルが挿入される側が開き、前記閉位置にあるときに前記フラットケーブルが挿入される側が閉じるように前記ハウジングに回動可能に取り付けられることを特徴とする請求項１記載のフラットケーブル用コネクタ。
【請求項３】
前記カバーハウジングは、前記開位置にあるときに前記フラットケーブルが挿入される側と反対側が開き、前記閉位置にあるときに前記フラットケーブルが挿入される側と反対側が閉じるように前記前記ハウジングに回動可能に取り付けられることを特徴とする請求項１記載のフラットケーブル用コネクタ。
【発明の詳細な説明】
【技術分野】
【０００１】
本発明は、ＦＰＣ（Flexible Printed Circuit）等のフラットケーブルを回路基板に接続するためのフラットケーブル用コネクタに関する。
【背景技術】
【０００２】
近年の電子機器、例えば、携帯電話やディジタルカメラ等はダウンサイジングが加速している。この電子機器に実装される電子部品や回路基板間を接続するために、フレキシブル回路基板であるＦＰＣが多用され、ＦＰＣ用コネクタにも実装密度を上げるべく、低背化を含めた小型化が求められている。
従来、このような小型化を実現したＦＰＣ用コネクタとして、例えば、図１７及び図１８に示すものが知られている（特許文献１参照）。
【０００３】
図１７及び図１８に示すＦＰＣ用コネクタ１０１は、絶縁性のソケットハウジング１１０と、このソケットハウジング１１０に一列状に取付られた複数のＣ形ばね状コンタクト１３０と、ソケットハウジング１１０に支軸１２３を介して回動可能に結合されるカバーハウジング１２０とを備えている。
そして、ソケットハウジング１１０は、ＦＰＣ１４０を受容可能に形成された略矩形形状のハウジング本体１１１と、このハウジング本体１１１から前方（図１８における左方）に延びる下板部１１２とを備えている。
【０００４】
また、各Ｃ形ばね状コンタクト１３０は、ハウジング本体１１１に圧入固定される固定部１３１と、固定部１３１から前方に延びる上弾性アーム１３２及び下弾性アーム１３３と、固定部１３１から後方に延び、回路基板ＰＣＢ上に半田接続される基板接続部１３４とを備えている。ＦＰＣ１４０がソケットハウジング１１０に挿入された状態では、上弾性アーム１３２及び下弾性アーム１３３間でＦＰＣ１４０を受容するようになっている。
【０００５】
そして、カバーハウジング１２０は、ソケットハウジング１１０の下板部１１２の両側面を囲むように天板部１２１とこの天板部１２１の両端部に設けられた１対の案内側壁部１２２とを備えた凹字状に形成され、ＦＰＣ１４０をソケットハウジング１１０に挿入可能な図１７に示す開位置からＦＰＣ１４０を上方から押圧する図１８に示す閉位置まで矢印Ａ方向に回動可能になっている。そして、１対の案内側壁部１２２の内壁面間隔は、ＦＰＣ１４０の幅よりも僅かに大きく形成され、ＦＰＣ１４０をソケットハウジング１１０に挿入する過程では、ＦＰＣ１４０は１対の案内側壁部１２２のそれぞれの内壁面に規制されてＦＰＣ１４０とＣ形ばね状コンタクト１３０とはＣ形ばね状コンタクト１３０の列方向に位置合わせされるようになっている。
【０００６】
そして、図１８に示すように、カバーハウジング１２０が閉位置にあるときには、カバーハウジング１２０の天板部１２１がＦＰＣ１４０を上方から押圧する。このとき、Ｃ形ばね状コンタクト１３０の下弾性アーム１３２の接触突起１３２ａが、下方から上方に向けて加圧された状態でＦＰＣ１４０の下面に設けられた導体パターンに接触し、ＦＰＣ１４０と回路基板ＰＣＢとが相互に電気的に接続されることになる。また、Ｃ形ばね状コンタクト１３０の上弾性アーム１３２が支軸１２３を介して天板部１２１に下方への押圧力を付与するのである。
【特許文献１】特開２００４−１９３０８０号公報
【発明の開示】
【発明が解決しようとする課題】
【０００７】
しかしながら、この従来のＦＰＣ用コネクタ１０１にあっては、以下の問題点があった。
即ち、１対の案内側壁部１２２の内壁面間隔が、ＦＰＣ１４０の幅よりも僅かに大きく形成されているため、ＦＰＣ１４０をソケットハウジング１１０に挿入する過程において、１対の案内側壁部１２２とＦＰＣ１４０との間の隙間分だけ、ＦＰＣ１４０がソケットハウジング１１０に対して平面から見て斜めに挿入されてしまうことがある。ＦＰＣ１４０が斜めに挿入されると、ＦＰＣ１４０に設けられた導体パターンとＣ形ばね状コンタクト１３０とが位置ずれし、導体パターンとＣ形ばね状コンタクト１３０とが非接触となったり、あるいは隣接する導体間が短絡したりして、ＦＰＣ１４０と回路基板ＰＣＢとを適切に接続できないことがあった。
従って、本発明は上述の問題点に鑑みてなされたものであり、その目的は、簡単な構造でＦＰＣ等のフラットケーブルに設けられた導体パターンとコンタクトとの位置ずれを確実に防止することができるフラットケーブル用コネクタを提供することにある。
【課題を解決するための手段】
【０００８】
上記問題を解決するため、本発明のうち請求項１に係るフラットケーブル用コネクタは、フラットケーブルが挿入されるハウジングと、該ハウジングに取り付けられると共に、挿入された前記フラットケーブルに設けられた導体パターンに接触するコンタクトと、前記ハウジングに対して、前記フラットケーブルを挿入可能な開位置と前記フラットケーブルを押圧する閉位置との間を回動可能に取り付けられたカバーハウジングとを具備し、該カバーハウジングが閉位置にあるときに、前記コンタクトが加圧されて前記フラットケーブルに設けられた導体パターンに接触するようになっているフラットケーブル用コネクタであって、前記カバーハウジングの両端に、前記フラットケーブルの幅よりも大きい内壁面間隔で配置された１対の挿入案内部を設けると共に、該１対の挿入案内部に連続し、かつ、前記１対の挿入案内部の内壁面間隔に対して小さくなるような内壁面間隔を設定した１対のフラットケーブル斜め挿入防止部を設け、該１対のフラットケーブル斜め挿入防止部は、前記カバーハウジングの回動時に、斜め挿入された前記フラットケーブルの挿入状態をそれぞれの内壁面により矯正するようになっていることを特徴としている。
【０００９】
また、本発明のうち請求項２に係るフラットケーブル用コネクタは、請求項１記載のフラットケーブル用コネクタにおいて、前記カバーハウジングは、前記開位置にあるときに前記フラットケーブルが挿入される側が開き、前記閉位置にあるときに前記フラットケーブルが挿入される側が閉じるように前記ハウジングに回動可能に取り付けられることを特徴としている。
【００１０】
更に、本発明のうち請求項３に係るフラットケーブル用コネクタは、請求項１記載のフラットケーブル用コネクタにおいて、前記カバーハウジングは、前記開位置にあるときに前記フラットケーブルが挿入される側と反対側が開き、前記閉位置にあるときに前記フラットケーブルが挿入される側と反対側が閉じるように前記前記ハウジングに回動可能に取り付けられることを特徴としている。
【発明の効果】
【００１１】
本発明のうち請求項１に係るフラットケーブル用コネクタによれば、カバーハウジングの両端に、フラットケーブルの幅よりも大きい内壁面間隔で配置された１対の挿入案内部を設けると共に、１対の挿入案内部に連続し、かつ、１対の挿入案内部の内壁面間隔に対して小さくなるような内壁面間隔を設定した１対のフラットケーブル斜め挿入防止部を設け、１対のフラットケーブル斜め挿入防止部は、カバーハウジングの回動時に、斜め挿入されたフラットケーブルの挿入状態をそれぞれの内壁面により矯正するようになっているので、フラットケーブルの挿入時において、フラットケーブルがハウジングに対して斜めに挿入されたとしても、カバーハウジングの回動時に、１対のフラットケーブル斜め挿入防止部の内壁面により、斜め挿入されたフラットケーブルの挿入状態を矯正できる。このため、簡単な構造でフラットケーブルに設けられた導体パターンとコンタクトとの位置ずれを確実に防止できる。
【００１２】
また、本発明のうち請求項２に係るフラットケーブル用コネクタによれば、請求項１記載のフラットケーブル用コネクタにおいて、前記カバーハウジングは、前記開位置にあるときに前記フラットケーブルが挿入される側が開き、前記閉位置にあるときに前記フラットケーブルが挿入される側が閉じるように前記ハウジングに回動可能に取り付けられるので、カバーハウジングを開位置から閉位置に回動するときには、操作者が指等によりカバーハウジングをフラットケーブルが挿入された側に閉じるようにすればよい。このため、フラットケーブルが挿入される側と反対側にはカバーハウジングを操作するためのスペースが不要となり、電子部品の実装スペースを確保することができる。
【００１３】
更に、本発明のうち請求項３に係るフラットケーブル用コネクタによれば、請求項１記載のフラットケーブル用コネクタにおいて、前記カバーハウジングは、前記開位置にあるときに前記フラットケーブルが挿入される側と反対側が開き、前記閉位置にあるときに前記フラットケーブルが挿入される側と反対側が閉じるように前記前記ハウジングに回動可能に取り付けられるので、挿入されたフラットケーブルを押圧しコンタクトを加圧してフラットケーブルに設けられた導体パターンに接触させる閉位置において、カバーハウジングがフラットケーブルが挿入されている側に開かず、コンタクと導体パターンとの接触状態が解除されるおそれを回避することができる。
【発明を実施するための最良の形態】
【００１４】
次に本発明の実施形態を図面を参照して説明する。図１は本発明に係るフラットケーブル用コネクタの第１実施形態を示し、（Ａ）は平面図、（Ｂ）は正面図である。図２は図１のフラットケーブル用コネクタを示し、（Ａ）は底面図、（Ｂ）は背面図である。図３は図１のフラットケーブル用コネクタを示し、（Ａ）は右側面図、（Ｂ）は図１（Ｂ）における３Ｂ−３Ｂ線に沿う断面図、（Ｃ）は図１（Ｂ）における３Ｃ−３Ｃ線に沿う断面図、（Ｄ）は図１（Ｂ）における３Ｄ−３Ｄ線に沿う断面図である。図４は図１のフラットケーブル用コネクタを示し、（Ａ）はカバーハウジングが開位置にある状態のフラットケーブル用コネクタの部分斜視図、（Ｂ）はカバーハウジングが閉位置にある状態のフラットケーブル用コネクタの部分斜視図である。図５はＦＰＣの挿入工程を示し、（Ａ）はＦＰＣが挿入される前のカバーハウジングが開位置にあるときのフラットケーブル用コネクタの断面図、（Ｂ）はＦＰＣが挿入された後のカバーハウジングが閉位置にあるときのフラットケーブル用コネクタの断面図である。図６はカバーハウジングが開位置にあるときにＦＰＣが斜め挿入された状態を示し、（Ａ）は平面概略図、（Ｂ）は左側面図である。図７はカバーハウジングが回動している途中のＦＰＣの挿入状態を示し、（Ａ）は平面概略図、（Ｂ）は左側面図である。図８はカバーハウジングが閉位置にあるときのＦＰＣの挿入状態を示し、（Ａ）は概略平面図、（Ｂ）は左側面図である。
【００１５】
図１乃至図４において、フラットケーブル用コネクタ１は、ＦＰＣ（フラットケーブル）５０（図５乃至図８参照）が挿入されるハウジング１０と、このハウジング１０に１列状に取り付けられた複数の第１及び第２コンタクト３１ａ，３１ｂと、カバーハウジング２０とを備えている。ハウジング１０には、ＦＰＣ５０以外のフレキシブルフラットケーブル（ＦＦＣ）等のフラットケーブルを挿入するようにしてもよい。
【００１６】
ここで、ハウジング１０は、長手方向（図１（Ａ）における左右方向）に延びる略矩形形状のハウジング本体１１と、ハウジング本体１１の下部から前方（図１（Ａ）における下方）に延びる下板部１２とを備え、絶縁性の樹脂を成形することによって形成されている。ハウジング本体１１には、図３及び図５に示すように、第１及び第２コンタクト３１ａ，３１ｂが固定されると共に、ＦＰＣ５０を受容するフラットケーブル受容空間１４が長手方向に延びるように形成されている。そして、フラットケーブル受容空間１４の長手方向両側であってハウジング本体１１の長手方向両側壁１１ａの内面には、１対のフラットケーブル位置決め部１３が内方に向けて突出形成されている。１対のフラットケーブル位置決め部１３の内壁面間隔は、ＦＰＣ５０の幅と略同一に形成されている。また、ハウジング本体１１の長手方向両側壁１１ａには、１対の金属製のソルダペグ４０が取り付けられている。各ソルダペグ４０は、図３（Ｄ）に示すように、略矩形形状の基板部４１と、基板部４１の後縁から後方に向けて延びる固定部４２とを備え、固定部４２を、ハウジング本体１１の長手方向両側壁１１ａに前方から圧入固定するようにしている。基板部４１は図示しない回路基板上に半田接続されるようになっている。そして、基板部４１の後縁には、湾曲した切欠４３が形成されている。また、ハウジング本体１１の長手方向両側壁１１ａの前端面にも、湾曲した切欠１１ｂが形成されている。ハウジング本体１１の切欠１１ｂとソルダペグ４０の切欠４３との間に、図３（Ｄ）に示すように、カバーハウジング２０の両端に設けられた支軸２５が嵌入され、これによりカバーハウジング２０はハウジング１０に対して回動可能に取り付けられている。
【００１７】
また、複数の第１及び第２コンタクト３１ａ，３１ｂは、図１及び図２に示すように、ハウジング１０の長手方向に沿って１列状に交互に取り付けられている。
ここで、各第１コンタクト３１ａは、図３（Ｃ）に示すように、ハウジング本体１１への固定部３２ａと、固定部３２ａから前方に延びる下弾性アーム３３ａと、固定部３２ａから一旦上方に延びてから前方に向けて湾曲し更に前方に延びる上弾性アーム３５ａと、固定部３２ａから後方に延びる基板接続部３６ａとを備え、金属板を打ち抜き加工することによって形成されている。第１コンタクト３１ａの固定部３２ａは、ハウジング１０の後方からハウジング本体１１に圧入固定される。また、下弾性アーム３３ａの前端には、図５（Ｂ）に示すように、ハウジング本体１１に挿入されたＦＰＣ５０の下面に形成された導体パターン（図示せず）に接触する接触突起３４ａが形成されている。下弾性アーム３３ａは、接触突起３４ａがＦＰＣ５０の導体パターンに接触する際に、ＦＰＣ５０に対して上方に押圧する弾性力を付与する構造となっている。更に、基板接続部３６ａは、図示しない回路基板上に半田接続されるようになっている。
【００１８】
また、各第２コンタクト３１ｂは、図３（Ｂ）に示すように、ハウジング本体１１への１対の固定脚３２ｂを有する基板部３３ｂと、基板部３３ｂの下端から前方に延びる下アーム３４ｂと、基板部３３ｂの上端から前方に延びる上弾性アーム３６ｂとを備え、金属板を打ち抜き加工することによって形成されている。第２コンタクト３１ｂの固定脚３２ｂは、ハウジング１０の前方からハウジング本体１１に圧入固定される。また、下アーム３４ｂの前後方向略中央部には、図５（Ｂ）に示すように、ハウジング本体１１に挿入されたＦＰＣ５０の下面に形成された導体パターンに接触する接触突起３５ｂが形成されている。更に、下アーム３４ｂの前端には、図示しない回路基板上に半田接続される基板接続部３７ｂが設けられている。
【００１９】
更に、カバーハウジング２０は、ハウジング１０に対して、図４（Ａ）及び図５（Ａ）に示す開位置と図４（Ｂ）及び図５（Ｂ）に示す閉位置との間を回動可能に取り付けられている。カバーハウジング２０が開位置にあるときには、図５（Ａ）に示すように、ＦＰＣ５０がフラットケーブル受容空間１４に挿入可能であり、また、カバーハウジング２０が閉位置にあるときには、カバーハウジング２０はフラットケーブル受容空間１４に挿入されたＦＰＣ５０を上方から押圧し、下弾性アーム３３ａ及び下アーム３４ｂを加圧して接触突起３４ａ，３５ｂがＦＰＣ５０の下面に設けられた導体パターンに接触するようになっている。そして、カバーハウジング２０は、図４（Ａ）及び図５（Ａ）に示す開位置にあるときにＦＰＣ５０が挿入される側が開き、図４（Ｂ）及び図５（Ｂ）に示す閉位置にあるときにＦＰＣ５０が挿入される側が閉じるようにハウジング１０に回動可能に取り付けられている。
【００２０】
このカバーハウジング２０は、長手方向（図１（Ａ）における左右方向）に延びる略矩形形状のカバー本体２１を備え、絶縁性の樹脂を成形することによって形成されている。カバー本体２１の長手方向両端には、ハウジング本体１１の切欠１１ｂとソルダペグ４０の切欠４３との間に嵌入される１対の支軸２５が設けられ、これら支軸２５を切欠１１ｂと切欠４３との間に嵌入することにより、カバーハウジング２０はハウジング１０に対して回動可能となっている。また、カバー本体２１は、閉位置においてフレットケーブル受容空間１４に挿入されたＦＰＣ５０を上方から押圧する。そして、カバー本体２１には、図１（Ａ）、図３（Ｂ）及び図３（Ｃ）に示すように、第１及び第２コンタクト３１ａ，３１ｂの上弾性アーム３５ａ，３６ｂのそれぞれの前端が入り込む貫通穴２２，２３が穿設されている。そして、これら貫通穴２２，２３の後側（図１（Ａ）図３（Ｂ）及び図３（Ｃ）はカバーハウジング２０が閉位置にあり、そのときの後側）には、カバー本体２１の長手方向全体にわたって延びる軸部２４が設けられている。この軸部２４の中心は支軸２５の中心と一致し、カバーハウジング２０は軸部２４を中心に回動するようになっている。そして、軸部２４には、貫通穴２２，２３に入り込んだ上弾性アーム３５ａ，３６ｂの前端部が係合している。上弾性アーム３５ａ，３６ｂの前端部は、カバーハウジング２０が図５（Ａ）に示す開位置にあるときと図５（Ｂ）に示す閉位置にあるときとを問わず軸部２４に対して上方から下方に押圧する力が働くように係合している。
【００２１】
また、カバーハウジング２０のカバー本体２１の長手方向両端には、図６（Ａ）に示すように、ＦＰＣ５０の幅よりも若干大きい内壁面間隔Ｄ１で配置された１対の挿入案内部２６が設けられている。これら挿入案内部２６は、ＦＰＣ５０の挿入時にそれぞれの内壁面によりＦＰＣ５０の下面に設けられた導体パターンと第１及び第２コンタクト３１ａ，３１ｂの接触突起３４ａ，３５ｂとの位置合わせを行うようになっている。また、カバー本体２１の長手方向両端には、１対の挿入案内部２６に連続し、かつ、１対の挿入案内部２６の内壁面間隔Ｄ１に対して連続して小さくなるような内壁面間隔Ｄ２（図７（Ａ）参照）を設定した１対のフラットケーブル斜め挿入防止部２７が設けられている。１対のフラットケーブル斜め挿入防止部２７の内壁面間隔Ｄ２は、図８（Ａ）によく示すように、最も小さいところの間隔がＦＰＣ５０の幅と略同一となっている。これら１対のフラットケーブル斜め挿入防止部２７は、カバーハウジング２０を開位置から閉位置に回動するときに、図６乃至図８に示すように、斜め挿入されたＦＰＣ５０の挿入状態をそれぞれの内壁面により矯正するようになっている。
【００２２】
以下、カバーハウジング２０の作用を図５乃至図８を参照して詳細に説明する。
先ず、図５（Ａ）に示すように、カバーハウジング２０が開位置にあるときに、ＦＰＣ５０の先端をハウジング本体１１のフラットケーブル受容空間１４に挿入する。すると、通常、即ちＦＰＣ５０がハウジング本体１１に対して平面から見てまっすぐに挿入されているときには、カバーハウジング２０の長手方向両端に設けられた１対の挿入案内部２６の内壁面によりＦＰＣ５０の下面に設けられた導体パターンと第１及び第２コンタクト３１ａ，３１ｂの接触突起３４ａ，３５ｂとの位置合わせが行われ、この状態でＦＰＣ５０の先端が１対のフラットケーブル位置決め部１３の内壁面により位置決めされる。
【００２３】
しかし、１対の挿入案内部２６の内壁間間隔Ｄ１は、ＦＰＣ５０の幅よりも若干大きくなっていることから、ＦＰＣ５０の先端をハウジング本体１１のフラットケーブル受容空間１４に挿入したときには、図６（Ａ）に示すように、ＦＰＣ５０がハウジング本体１１に対して平面から見て斜めに挿入されてしまうことがある。
この場合において、カバーハウジング２０を開位置から図６（Ｂ）における矢印Ａ方向に回動して図７（Ｂ）に示す位置に位置させると、図７（Ａ）に示すように、１対のフラットケーブル斜め挿入防止部２７が、１対の挿入案内部２６に連続し、かつ、１対の挿入案内部２６の内壁面間隔Ｄ１に対して連続して小さくなるような内壁面間隔Ｄ２を設定しているので、１対のフラットケーブル斜め挿入防止部２７の内壁面によりＦＰＣ５０の先端面が平面から見て徐々にまっすぐになり、斜め挿入されたＦＰＣ５０の挿入状態が徐々に矯正される。
【００２４】
そして、カバーハウジング２０を図７（Ｂ）に示す位置から更に矢印Ａ方向に回動して図８（Ｂ）に示す閉位置に位置させると、図８（Ａ）に示すように、１対のフラットケーブル斜め挿入防止部２７の内壁面によりＦＰＣ５０の先端面が平面から見て完全にまっすぐになり、斜め挿入されたＦＰＣ５０の挿入状態が平面から見てハウジング本体１１に対してまっすぐに矯正される。これにより、ＦＰＣ５０の下面に設けられた導体パターンと第１及び第２コンタクト３１ａ，３１ｂの接触突起３４ａ，３５ｂとの位置合わせが行われ、この状態でＦＰＣ５０の先端が１対のフラットケーブル位置決め部１３の内壁面により位置決めされる。従って、簡単な構造でＦＰＣ５０に設けられた導体パターンと第１及び第２コンタクト３１ａ，３１ｂの接触突起３４ａ，３５ｂとの位置ずれを確実に防止できる。なお、ＦＰＣ５０に対して凹凸、穴などを設け、それに対応するようにハウジング１０やカバーハウジング２０に凹凸やボスを設けてＦＰＣ５０の斜め挿入防止を図る技術もあるが、この技術においては、ＦＰＣ５０を特殊形状に形成する必要があることから、ＦＰＣ５０がコスト高となる問題がある。
【００２５】
そして、カバーハウジング２０が図８（Ｂ）に示す閉位置に位置すると、図５（Ｂ）に示すように、カバー本体２１がフラットケーブル受容空間１４に挿入されたＦＰＣ５０を上方から押圧し、下弾性アーム３３ａ及び下アーム３４ｂを加圧して接触突起３４ａ，３５ｂがＦＰＣ５０の下面に設けられた導体パターンに接触する。この際に、第１コンタクト３１ａの上弾性アーム３５ａ及び第２コンタクト３１ｂの上弾性アーム３６ｂが、軸部２４を介してカバー本体２１に対して下方に押圧する弾性力を付与する構造となっている。第１及び第２コンタクト３１ａ，３１ｂの接触突起３４ａ，３５ｂがＦＰＣ５０の下面に設けられた導体パターンに接触することにより、回路基板とＦＰＣ５０とが電気的に導通することになる。
【００２６】
なお、ＦＰＣ５０がハウジング本体１１に対して平面から見てまっすぐに挿入され、カバーハウジング２０の長手方向両端に設けられた１対の挿入案内部２６の内壁面によりＦＰＣ５０の下面に設けられた導体パターンと第１及び第２コンタクト３１ａ，３１ｂの接触突起３４ａ，３５ｂとの位置合わせがなされている場合であっても、カバーハウジング２０を図６に示す開位置から図８に示す閉位置に回動することにより、下弾性アーム３３ａ及び下アーム３４ｂを加圧して接触突起３４ａ，３５ｂがＦＰＣ５０の下面に設けられた導体パターンに接触することになる。
【００２７】
また、カバーハウジング２０は、図５（Ａ）に示す開位置にあるときにＦＰＣ５０が挿入される側が開き、図５（Ｂ）に示す閉位置にあるときにＦＰＣ５０が挿入される側が閉じるようにハウジング１０に回動可能に取り付けられているので、カバーハウジング２０を開位置から閉位置に回動するときには、操作者が指等によりカバーハウジング２０をＦＰＣ５０が挿入された側に閉じるようにすればよいようになっている。このため、ＦＰＣ５０が挿入される側と反対側にはカバーハウジング２０を操作するためのスペースが不要となり、電子部品の実装スペースを確保することができる。
【００２８】
次に、本発明に係るフラットケーブル用コネクタの第２実施形態を図９乃至図１６を参照して説明する。図９は本発明に係るフラットケーブル用コネクタの第２実施形態を示し、（Ａ）は平面図、（Ｂ）は正面図である。図１０は図９のフラットケーブル用コネクタを示し、（Ａ）は底面図、（Ｂ）は背面図である。図１１は図９のフラットケーブル用コネクタを示し、（Ａ）は右側面図、（Ｂ）は図９（Ｂ）における１１Ｂ−１１Ｂ線に沿う断面図、（Ｃ）は図９（Ｂ）における１１Ｃ−１１Ｃ線に沿う断面図、（Ｄ）は図９（Ｂ）における１１Ｄ−１１Ｄ線に沿う断面図である。図１２は図９のフラットケーブル用コネクタを示し、（Ａ）はカバーハウジングが開位置にある状態のフラットケーブル用コネクタの部分斜視図、（Ｂ）はカバーハウジングが閉位置にある状態のフラットケーブル用コネクタの部分斜視図である。図１３はＦＰＣの挿入工程を示し、（Ａ）はＦＰＣが挿入される前のカバーハウジングが開位置にあるときのフラットケーブル用コネクタの断面図、（Ｂ）はＦＰＣが挿入された後のカバーハウジングが閉位置にあるときのフラットケーブル用コネクタの断面図である。図１４はカバーハウジングが開位置にあるときにＦＰＣが斜め挿入された状態を示し、（Ａ）は平面概略図、（Ｂ）は左側面図である。図１５はカバーハウジングが回動している途中のＦＰＣの挿入状態を示し、（Ａ）は平面概略図、（Ｂ）は左側面図である。図１６はカバーハウジングが閉位置にあるときのＦＰＣの挿入状態を示し、（Ａ）は概略平面図、（Ｂ）は左側面図である。
【００２９】
図９乃至図１２において、フラットケーブル用コネクタ６１は、フラットケーブル用コネクタ１と同様に、ＦＰＣ（フラットケーブル）５０（図１３乃至図１６参照）が挿入されるハウジング７０と、このハウジング７０に１列状に取り付けられた複数の第１及び第２コンタクト９１ａ，９１ｂと、カバーハウジング８０とを備えている。ハウジング７０には、ＦＰＣ５０以外のフレキシブルフラットケーブル（ＦＦＣ）等のフラットケーブルを挿入するようにしてもよい。
【００３０】
ここで、ハウジング７０は、長手方向（図９（Ａ）における左右方向）に延びる略矩形形状のハウジング本体７１と、ハウジング本体７１の下部から前方（図９（Ａ）における下方）に延びる下板部７２とを備え、絶縁性の樹脂を成形することによって形成されている。ハウジング本体７１には、第１及び第２コンタクト９１ａ，９１ｂが固定されると共に、ＦＰＣ５０を受容するフラットケーブル受容空間７４が長手方向に延びるように形成されている。そして、フラットケーブル受容空間７４の長手方向両側であってハウジング本体７１の長手方向両側壁７１ａの内面には、１対のフラットケーブル位置決め部７３が内方に向けて突出形成されている。１対のフラットケーブル位置決め部７３の内壁面間隔は、ＦＰＣ５０の幅と略同一に形成されている。また、ハウジング本体７１の長手方向両側壁７１ａには、１対の金属製のソルダペグ７５が取り付けられている。各ソルダペグ７５は、図１１（Ｄ）に示すように、略矩形形状の基板部７６と、基板部７６の後縁から後方に向けて延びる固定部７７とを備え、固定部７７を、ハウジング本体７１の長手方向両側壁７１ａに前方から圧入固定するようにしている。基板部７６は、図示しない回路基板上に半田接続されるようになっている。そして、基板部７６の後縁には、湾曲した切欠７８が形成され、この切欠７８とハウジング本体７１の側壁７１ａの前端面との間に、図１１（Ｄ）に示すように、カバーハウジング８０の両端に設けられた支軸８５が嵌入され、これによりカバーハウジング８０はハウジング７０に対して回動可能に取り付けられている。
【００３１】
また、複数の第１及び第２コンタクト９１ａ，９１ｂは、図９及び図１０に示すように、ハウジング７０の長手方向に沿って１列状に交互に取り付けられている。
ここで、各第１コンタクト９１ａは、図１１（Ｃ）に示すように、ハウジング本体７１への固定部９２ａと、固定部９２ａから前方に延びる下弾性アーム９３ａと、固定部９２ａから一旦上方に延びてから前方に向けて湾曲し更に前方に延びる上弾性アーム９５ａと、固定部９２ａから後方に延びる基板接続部０６ａとを備え、金属板を打ち抜き加工することによって形成されている。第１コンタクト９１ａの固定部９２ａは、ハウジング７０の後方からハウジング本体７１に圧入固定される。また、下弾性アーム９３ａの前端には、図１３（Ｂ）に示すように、ハウジング本体７１に挿入されたＦＰＣ５０の下面に形成された導体パターン（図示せず）に接触する接触突起９４ａが形成されている。下弾性アーム９３ａは、接触突起９４ａがＦＰＣ５０の導体パターンに接触する際に、ＦＰＣ５０に対して上方に押圧する弾性力を付与する構造となっている。更に、基板接続部９６ａは、図示しない回路基板上に半田接続されるようになっている。
【００３２】
また、各第２コンタクト９１ｂは、図１１（Ｂ）に示すように、ハウジング本体７１への固定脚９２ｂを有する基板部９３ｂと、基板部９３ｂの下端から前方に延びる下アーム９４ｂと、基板部９３ｂの上端から前方に延びる上弾性アーム９６ｂとを備え、金属板を打ち抜き加工することによって形成されている。第２コンタクト９１ｂの固定脚９２ｂは、ハウジング７０の前方からハウジング本体７１に圧入固定される。また、下アーム９４ｂの前後方向略中央部には、ハウジング本体７１に挿入されたＦＰＣ５０の下面に形成された導体パターンに接触する接触突起９５ｂが形成されている。更に、下アーム９４ｂの前端には、図示しない回路基板上に半田接続される基板接続部９７ｂが設けられている。
【００３３】
更に、カバーハウジング８０は、ハウジング７０に対して、図１２（Ａ）及び図１３（Ａ）に示す開位置と図１２（Ｂ）及び図１３（Ｂ）に示す閉位置との間を回動可能に取り付けられている。カバーハウジング８０が開位置にあるときには、図１３（Ａ）に示すように、ＦＰＣ５０がフラットケーブル受容空間７４に挿入可能であり、また、カバーハウジング８０が閉位置にあるときには、カバーハウジング８０はフラットケーブル受容空間７４に挿入されたＦＰＣ５０を上方から押圧し、下弾性アーム９３ａ及び下アーム９４ｂを加圧して接触突起９４ａ，９５ｂがＦＰＣ５０の下面に設けられた導体パターンに接触するようになっている。そして、カバーハウジング８０は、フラットケーブル用コネクタ１に設けられたカバーハウジング２０と異なり、図１２（Ａ）及び図１３（Ａ）に示す開位置にあるときにＦＰＣ５０が挿入される側と反対側が開き、図１２（Ｂ）及び図１３（Ｂ）に示す閉位置にあるときにＦＰＣ５０が挿入される側と反対側が閉じるようにハウジング７０に回動可能に取り付けられている。
【００３４】
このカバーハウジング８０は、長手方向（図９（Ａ）における左右方向）に延びる略矩形形状のカバー本体８１を備え、絶縁性の樹脂を成形することによって形成されている。カバー本体８１の長手方向両端には、ソルダペグ７５の切欠７８とハウジング本体７１の側壁７１ａの前端面との間に嵌入される１対の支軸８５が設けられ、これら支軸８５を切欠７８と前記前端面との間に嵌入することにより、カバーハウジング８０はハウジング７０に対して回動可能となっている。そして、カバー本体８１には、カバーハウジング８０が図１１（Ｂ）及び図１１（Ｃ）に示す閉位置にあるときに、上弾性アーム９５ａ，９６ｂが入り込む複数のコンタクト収容溝８２が形成されている。各コンタクト収容溝８２は、カバーハウジング８０が閉位置にあるときに前後方向に延びるように形成され、各コンタクト収容溝８２の前端には、前方向に貫通する貫通穴８３が穿設されている。また、貫通穴８３には、カバーハウジング８０が閉位置にあるときに上弾性アーム９５ａ，９６ｂの前端が入り込むようになっている。そして、貫通穴８３の下方（カバーハウジング８０が閉位置にあるときの下方）には、カバー本体８１の長手方向全体にわたって延びる支持部８４が設けられている。この支持部８４の中心は支軸８５の中心と一致し、カバーハウジング８０は支持部８４を中心に回動するようになっている。そして、支持部８４には、上弾性アーム９６ｂ，９５ａの前端部が係合し、この上弾性アーム９６ｂ，９５ａの前端部は、カバーハウジング８０が図１３（Ａ）に示す開位置にあるときと図１３（Ｂ）に示す閉位置にあるときとを問わず支持部８４に対して上方から下方に押圧する力を働かせるようになっている。
【００３５】
また、カバーハウジング８０のカバー本体８１の長手方向両端には、図１４（Ａ）に示すように、ＦＰＣ５０の幅よりも若干大きい内壁面間隔Ｄ３で配置された１対の挿入案内部８６が設けられている。これら挿入案内部８６は、ＦＰＣ５０の挿入時にそれぞれの内壁面によりＦＰＣ５０の下面に設けられた導体パターンと第１及び第２コンタクト９１ａ，９１ｂの接触突起９４ａ，９５ｂとの位置合わせを行うようになっている。また、カバー本体８１の長手方向両端には、１対の挿入案内部８６に連続し、かつ、１対の挿入案内部８６の内壁面間隔Ｄ３に対して連続して小さくなるような内壁面間隔Ｄ４（図１５（Ａ）参照）を設定した１対のフラットケーブル斜め挿入防止部８７が設けられている。１対のＦＰＣ斜め挿入防止部８７の内壁面間隔Ｄ４は、図１６（Ａ）によく示すように、最も小さいところの間隔がＦＰＣ５０の幅と略同一となっている。これら１対のフラットケーブル斜め挿入防止部８７は、カバーハウジング８０を開位置から閉位置に回動するときに、図６乃至図８に示すように、斜め挿入されたＦＰＣ５０の挿入状態をそれぞれの内壁面により矯正するようになっている。
【００３６】
以下、カバーハウジング８０の作用を図１３乃至図１６を参照して詳細に説明する。
先ず、図１３（Ａ）に示すように、カバーハウジング８０が開位置にあるときに、ＦＰＣ５０の先端をハウジング本体７１のフラットケーブル受容空間７４に挿入する。すると、通常、即ちＦＰＣ５０がハウジング本体７１に対して平面から見てまっすぐに挿入されているときには、カバーハウジング８０の長手方向両端に設けられた１対の挿入案内部８６の内壁面によりＦＰＣ５０の下面に設けられた導体パターンと第１及び第２コンタクト９１ａ，９１ｂの接触突起９４ａ，９５ｂとの位置合わせが行われ、この状態でＦＰＣ５０の先端が１対のフラットケーブル位置決め部７３の内壁面により位置決めされる。
【００３７】
しかし、１対の挿入案内部８６の内壁間間隔Ｄ３は、ＦＰＣ５０の幅よりも若干大きくなっていることから、ＦＰＣ５０の先端をハウジング本体７１のフラットケーブル受容空間７４に挿入したときには、図１４（Ａ）に示すように、ＦＰＣ５０がハウジング本体７１に対して平面から見て斜めに挿入されてしまうことがある。
この場合において、カバーハウジング８０を開位置から図１４（Ｂ）における矢印Ｂ方向に回動して図１５（Ｂ）に示す位置に位置させると、図１５（Ａ）に示すように、１対のフラットケーブル斜め挿入防止部８７が、１対の挿入案内部８６に連続し、かつ、１対の挿入案内部８６の内壁面間隔Ｄ３に対して連続して小さくなるような内壁面間隔Ｄ４を設定しているので、１対のフラットケーブル斜め挿入防止部８７の内壁面によりＦＰＣ５０の先端面が平面から見て徐々にまっすぐになり、斜め挿入されたＦＰＣ５０の挿入状態が徐々に矯正される。
【００３８】
そして、カバーハウジング８０を図１５（Ｂ）に示す位置から更に矢印Ｂ方向に回動して図１６（Ｂ）に示す閉位置に位置させると、図１６（Ａ）に示すように、１対のフラットケーブル斜め挿入防止部８７の内壁面によりＦＰＣ５０の先端面が平面から見て完全にまっすぐになり、斜め挿入されたＦＰＣ５０の挿入状態が平面から見てハウジング本体７１に対してまっすぐに矯正される。これにより、ＦＰＣ５０の下面に設けられた導体パターンと第１及び第２コンタクト９１ａ，９１ｂの接触突起９４ａ，９５ｂとの位置合わせが行われ、この状態でＦＰＣ５０の先端が１対のフラットケーブル位置決め部７３の内壁面により位置決めされる。従って、簡単な構造でＦＰＣ５０に設けられた導体パターンと第１及び第２コンタクト９１ａ，９１ｂの接触突起９４ａ，９５ｂとの位置ずれを確実に防止できる。
【００３９】
そして、カバーハウジング８０が図１６（Ｂ）に示す閉位置に位置すると、カバー本体８１の支持部８４がフラットケーブル受容空間７４に挿入されたＦＰＣ５０を上方から押圧し、下弾性アーム９３ａ及び下アーム９４ｂを加圧して接触突起９４ａ，９５ｂがＦＰＣ５０の下面に設けられた導体パターンに接触する。この際に、第１コンタクト９１ａの上弾性アーム９５ａ及び第２コンタクト９１ｂの上弾性アーム９６ｂが、支持部８４を介してカバー本体８１に対して下方に押圧する弾性力を付与する構造となっている。第１及び第２コンタクト９１ａ，９１ｂの接触突起９４ａ，９５ｂがＦＰＣ５０の下面に設けられた導体パターンに接触することにより、回路基板とＦＰＣ５０とが電気的に導通することになる。
【００４０】
なお、ＦＰＣ５０がハウジング本体７１に対して平面から見てまっすぐに挿入され、カバーハウジング８０の長手方向両端に設けられた１対の挿入案内部８６の内壁面によりＦＰＣ５０の下面に設けられた導体パターンと第１及び第２コンタクト９１ａ，９１ｂの接触突起９４ａ，９５ｂとの位置合わせがなされている場合であっても、カバーハウジング８０を図１４に示す開位置から図１６に示す閉位置に回動することにより、下弾性アーム９３ａ及び下アーム９４ｂを加圧して接触突起９４ａ，９５ｂがＦＰＣ５０の下面に設けられた導体パターンに接触することになる。
【００４１】
また、カバーハウジング８０は、図１３（Ａ）に示す開位置にあるときにＦＰＣ５０が挿入される側と反対側が開き、図１３（Ｂ）に示す閉位置にあるときにＦＰＣ５０が挿入される側と反対側が閉じるようにハウジング７０に回動可能に取り付けられるので、挿入されたＦＰＣ５０を上方から押圧し下弾性アーム９３ａ及び下アーム９４ｂを加圧してＦＰＣ５０の下面に設けられた導体パターンに接触させる閉位置において、カバーハウジング８０がＦＰＣ５０が挿入されている側に開かず、第１及び第２コンタクト９１ａ，９１ｂと導体パターンとの接触状態が解除されるおそれを回避することができる。
【００４２】
以上、本発明の実施形態について説明してきたが、本発明はこれに限定されずに種々の変更、改良を行うことができる。
例えば、カバー本体２１の長手方向両端に設けられた１対のフラットケーブル斜め挿入防止部２７の内壁面間隔Ｄ２は、１対の挿入案内部２６の内壁面間隔Ｄ１に対して小さくなるように設定されていればよく、必ずしも１対の挿入案内部２６の内壁面間隔Ｄ１に対して連続して小さくなるように設定されている必要はない。また、同様に、カバー本体８１の長手方向両端に設けられた１対のフラットケーブル斜め挿入防止部８７の内壁面間隔Ｄ４も、１対の挿入案内部８６の内壁面間隔Ｄ３に対して小さくなるように設定されていればよく、必ずしも１対の挿入案内部８６の内壁面間隔Ｄ３に対して連続して小さくなるように設定されている必要はない。
【００４３】
また、ＦＰＣ５０に形成される導体パターンは、ＦＰＣ５０の下面に形成される場合に限らず、ＦＰＣ５０の上面に形成される場合であってもよい。この場合、フラットケーブル用コネクタ１における第１及び第２コンタクト３１ａ，３１ｂ及びフラットケーブル用コネクタ６１における第１及び第２コンタクト９１ａ，９１ｂは、ＦＰＣ５０の上面に形成された導体パターンに接触するように構成すればよい。そして、この場合、カバーハウジング２０，８０は、閉位置にあるときに、フラットケーブル受容空間１４，７４に挿入されたＦＰＣ５０を上方から押圧するよう構成することが好ましい。
【図面の簡単な説明】
【００４４】
【図１】本発明に係るフラットケーブル用コネクタの第１実施形態を示し、（Ａ）は平面図、（Ｂ）は正面図である。
【図２】図１のフラトケーブル用コネクタを示し、（Ａ）は底面図、（Ｂ）は背面図である。
【図３】図１のフラットケーブル用コネクタを示し、（Ａ）は右側面図、（Ｂ）は図１（Ｂ）における３Ｂ−３Ｂ線に沿う断面図、（Ｃ）は図１（Ｂ）における３Ｃ−３Ｃ線に沿う断面図、（Ｄ）は図１（Ｂ）における３Ｄ−３Ｄ線に沿う断面図である。
【図４】図１のフラットケーブル用コネクタを示し、（Ａ）はカバーハウジングが開位置にある状態のフラットケーブル用コネクタの部分斜視図、（Ｂ）はカバーハウジングが閉位置にある状態のフラットケーブル用コネクタの部分斜視図である。
【図５】ＦＰＣの挿入工程を示し、（Ａ）はＦＰＣが挿入される前のカバーハウジングが開位置にあるときのフラットケーブル用コネクタの断面図、（Ｂ）はＦＰＣが挿入された後のカバーハウジングが閉位置にあるときのフラットケーブル用コネクタの断面図である。
【図６】カバーハウジングが開位置にあるときにＦＰＣが斜め挿入された状態を示し、（Ａ）は平面概略図、（Ｂ）は左側面図である。
【図７】カバーハウジングが回動している途中のＦＰＣの挿入状態を示し、（Ａ）は平面概略図、（Ｂ）は左側面図である。
【図８】カバーハウジングが閉位置にあるときのＦＰＣの挿入状態を示し、（Ａ）は概略平面図、（Ｂ）は左側面図である。
【図９】本発明に係るフラットケーブル用コネクタの第２実施形態を示し、（Ａ）は平面図、（Ｂ）は正面図である。
【図１０】図９のフラットケーブル用コネクタを示し、（Ａ）は底面図、（Ｂ）は背面図である。
【図１１】図９のフラットケーブル用コネクタを示し、（Ａ）は右側面図、（Ｂ）は図９（Ｂ）における１１Ｂ−１１Ｂ線に沿う断面図、（Ｃ）は図９（Ｂ）における１１Ｃ−１１Ｃ線に沿う断面図、（Ｄ）は図９（Ｂ）における１１Ｄ−１１Ｄ線に沿う断面図である。
【図１２】図９のフラットケーブル用コネクタを示し、（Ａ）はカバーハウジングが開位置にある状態のフラットケーブル用コネクタの部分斜視図、（Ｂ）はカバーハウジングが閉位置にある状態のフラットケーブル用コネクタの部分斜視図である。
【図１３】ＦＰＣの挿入工程を示し、（Ａ）はＦＰＣが挿入される前のカバーハウジングが開位置にあるときのフラットケーブル用コネクタの断面図、（Ｂ）はＦＰＣが挿入された後のカバーハウジングが閉位置にあるときのフラットケーブル用コネクタの断面図である。
【図１４】カバーハウジングが開位置にあるときにＦＰＣが斜め挿入された状態を示し、（Ａ）は平面概略図、（Ｂ）は左側面図である。
【図１５】カバーハウジングが回動している途中のＦＰＣの挿入状態を示し、（Ａ）は平面概略図、（Ｂ）は左側面図である。
【図１６】カバーハウジングが閉位置にあるときのＦＰＣの挿入状態を示し、（Ａ）は概略平面図、（Ｂ）は左側面図である。
【図１７】従来例のＦＰＣ用コネクタをＦＰＣとともに示す斜視図である。
【図１８】図１７に示すＦＰＣ用コネクタの断面図である。
【符号の説明】
【００４５】
１，６１  フラットケーブル用コネクタ
１０，７０  ハウジング
２０，８０  カバーハウジング
２６，８６  挿入案内部
２７，８７  フラットケーブル斜め挿入防止部
３１ａ，９１ａ  第１コンタクト
３１ｂ，９１ｂ  第２コンタクト
５０  ＦＰＣ（フラットケーブル）
【図１】
2006338955.tif 000003
【図２】
2006338955.tif 000004
【図３】
2006338955.tif 000005
【図４】
2006338955.tif 000006
【図５】
2006338955.tif 000007
【図６】
2006338955.tif 000008
【図７】
2006338955.tif 000009
【図８】
2006338955.tif 000010
【図９】
2006338955.tif 000011
【図１０】
2006338955.tif 000012
【図１１】
2006338955.tif 000013
【図１２】
2006338955.tif 000014
【図１３】
2006338955.tif 000015
【図１４】
2006338955.tif 000016
【図１５】
2006338955.tif 000017
【図１６】
2006338955.tif 000018
【図１７】
2006338955.tif 000019
【図１８】
2006338955.tif 000020